Podtech/llm-jp-corpus-v4-ja_patent huggingface dataset:
(57)【要約】【課題】背中の曲がった高齢者が、通常の衣服の着用時に発生する後ろ身頃の裾はねや、裾のずり上がりで発生する腰部分の露出を抑制する衣服を提供する。【解決手段】前身頃及び後ろ身頃５が縫製されている衣服において、後ろ身頃の両脇に、より立体的なシルエットを求めるために後ろ身頃側切替６を設けカマ底から肩先に向かって形成される後ろ身頃側のアームホール７のライン上のポイントから裾方向に向けて始まる切替をプリンセスライン４と言いプリンセスライン４上のカマ底８の高さより上方にタックまたはダーツ２、３を背中側に１又は複数個設ける。また、肩部分にダーツ１を設ける事により、さらに着心地が良くなる。【選択図】図１
0003208068.tif 000002
【実用新案登録請求の範囲】
【請求項１】
前身頃と後ろ身頃が縫製されている衣服において、後ろ身頃の両脇に後ろ身頃側脇切替を設けカマ底から肩先に向かって形成される後ろ身頃側のアームホールのライン上のポイントから裾方向へ始まるプリンセスラインを有し、プリンセスライン上の背中側にアームホールのカマ底の位置より上方にタックまたはダーツを１又は複数個設けていることを特徴とする衣服。
【請求項２】
肩線部分の後ろ身頃側にダーツを設ける請求項１に記載の衣服。
【考案の詳細な説明】
【技術分野】
【０００１】本考案は、背中の曲がった高齢者の方の為に、背中部分にふくらみ（ゆとり）をもたせた衣服である。
【背景技術】
【０００２】個人差は有るが、高齢者の多くの方に次のような問題が生じている。
１、  背中の曲がりによる衣服の後ろ身頃の裾のはね上がり。
２、  背中の曲がりにより取られる生地のずり上がりで発生する腰部分の露出。【０００３】従来背中の曲がった高齢者の多くが解決策として購入している衣服には例えば特許文献１に記されているのは、上着の脇線上にタックもしくはダーツを２〜３個設ける事により、背中の丸い形状をカバーでき、また腕の上げ下げにも運動量が出るというような発明である。しかしこれは形状的にも、背中ではなく、生地の多くのゆとりは腰回りに発生すると思われる。また腰部分にはゆとりがあると思われるが、アームホールのカマ底より上方での工夫がないため、背中部分にはゆとりがなく腕の上げ下げなどが円滑になるとは思えない問題があった。
【先行技術文献】
【特許文献】
【特許文献１】特許第３６３２７０４号
【考案の概要】
【考案が解決しようとする課題】
【０００４】本考案が解決しようとしている課題は、背中の曲がった高齢者が通常の衣服を購入し、着用された時に発生する後ろ身頃の裾のはね上がりや、背中の曲がりにともないそれに取られた生地分量による裾のずり上がりで発生する腰部分の露出を抑制する衣服を提供する事である。
【課題を解決するための手段】
【０００５】前身頃と後ろ身頃が縫製されている衣服において、後ろ身頃の両脇に後ろ身頃側脇切替を設けてカマ底から肩先に向かって形成される後ろ身頃側のアームホールのライン上のポイントから裾方向へ設けるプリンセスラインを有し、プリンセスライン上にアームホールのカマ底の位置より上方にタック又はダーツを背中側に１又は複数個設けていることを特徴とする衣服。
また、肩部分にダーツを入れる事により、さらに着心地が良くなるようにしている。
「タック」とは衣服を体型に合わせたり装飾する目的で用いる、布を小さく折り曲げて作るひだを言い、ひだを固定していないため生地に動きの余裕をもたせることができる。
「ダーツ」とは衣服にふくらみを持たせたい為に用いる手法であるが、中縫いをしてひだを固定することでゴロ付きをなくし、スッキリとさせたい部分に用いる縫製である。
「衣服」とは、シャツ・ブラウス・ジャケット・コート・Ｔシャツ・トレーナー・カーディガン・ベスト・ワンピース・フーデッドパーカー・ボレロなどアウターウェア全般、スポーツウェア全般、ナイトウェア全般・インナーウェア全般を示す。
【考案の効果】
【０００６】背中の曲がった高齢者が通常の市販されている衣服を購入し着用したときに発生する後ろ身頃の裾はねや、背中の曲がりで取られる生地分量による裾のずり上がりで発生する腰部分の露出を抑制するために、後ろ身頃側に生地のゆとりをもたせるための方法として、プリンセスラインを設け、そのプリンセスライン上にアームホールのカマ底よりも上方に位置するところにタックまたはダーツを設け背中部分にふくらみをもたせる事ができ、背中の曲がりに生地分量が取られることなく後ろ身頃の裾部分を通常の衣服と同じように身体に落ち着かせることができる。
カマ底より上方の位置とは左右のカマ底を結ぶ架空の線上よりも上方と言う意味である。
【図面の簡単な説明】
【０００７】
【図１】本考案の一の実施の形態にかかる後ろ身頃の完成図である。
【図２】本考案の図１の後ろ身頃において背中にふくらみが出るための仕組みを示している。
【図３】本考案の型紙（パターン）の展開図である。
【図４】本考案の具体的なふくらみ箇所の位置づけと通常市販の衣服との差を示している図である。
【考案を実施するための形態】
【０００８】図１は後ろ身頃の実施図案だが、背中部分にふくらみを持たせるために、肩部分でのダーツとプリンセスライン部分でのタックまたはダーツの位置付けを示している説明図である。
図２は図１のダーツやタックの仕組みの説明である。
肩部分のダーツ１に関しては、本来なら前身頃肩線９と後ろ身頃肩線１０は同じ長さで裁断し縫製するが、後ろ身頃にダーツ１を入れるために後ろ身頃肩線に関して、適当な分量に型紙（パターン）を開いて長さを多く取っており、その分量分を折りたたんでダーツとして縫製することによって、前後の肩線の長さが同じになり、後ろ身頃をダーツ処理でつまんでいる分、生地にゆとりが出来てきれいなふくらみが得られる。
図２の背中側プリンセスライン１３は本来なら脇側１２と同じ長さであるが、図の背中側プリンセスライン１３はタックまたはダーツ２及び３の分長く計算し裁断することにより、タックまたはダーツを設けて脇側のプリンセスラインと長さを合わせている。
そのタックまたはダーツによって作られる生地のゆとりがふくらみ１１として現れる。
図３は型紙（パターン）の展開図で、タックのたたみ方（方向）の指示である。
タック及びダーツはプリンセスライン上の背中側２個が最も好ましいが背中の曲がり具合に応じて１又は３個以上あっても良い。
図４は本考案の背中の生地のゆとり（ふくらみ）が背中のどの位置にあるかと、その背中の曲がりにより生地の分量がとられ、通常市販の衣服の裾がずり上がった裾の位置の状態と本考案の背中部分にゆとり（ふくらみ）を持たせた衣服の裾の位置の状態を表した図である。
【産業上の利用可能性】
【０００９】本考案の衣服は背中部分にゆとりを持たせているため、背中の曲がった人用に各種の衣服に好適に採用できる。
【符号の説明】
【００１０】１    ダーツ
２    タックまたはダーツ
３    タックまたはダーツ
４    プリンセスライン
５    後ろ身頃
６    後ろ身頃側脇切替
７    アームホール
８    カマ底
９    前身頃肩線
１０  後ろ身頃肩線
１１  ふくらみ
１２  脇側プリンセスライン
１３  背中側プリンセスライン
【図１】
0003208068.tif 000003
【図２】
0003208068.tif 000004
【図３】
0003208068.tif 000005
【図４】
0003208068.tif 000006
(57)【要約】      （修正有）【課題】漏水をほぼ確実に防止することのできるゴミ袋用漏水防止テープを提供する。【解決手段】クラフト紙、プラスチックなどからなる帯状の支持体２と、支持体の一方の主面に塗布された粘着剤層３と、粘着剤層を覆う剥離紙４と、支持体の他方の主面に固着された吸水性樹脂層５とを備えることを特徴とし、剥離紙を剥がしてゴミ袋の底に貼り付けて用いる。吸水性樹脂層は支持体の主面に固着されているので、ゴミ袋内で偏ることはないし、袋から落下することもない。従って、ゴミ袋内の汚水は全て吸水性樹脂層に吸水され、袋から漏れることがない。【選択図】図１
0003208016.tif 000002
【実用新案登録請求の範囲】
【請求項１】
帯状の支持体と、支持体の一方の主面に塗布された粘着剤層と、粘着剤層を覆う剥離紙と、支持体の他方の主面に固着された吸水性樹脂層と
を備えることを特徴とするゴミ袋用漏水防止テープ。
【考案の詳細な説明】
【技術分野】
【０００１】
この考案は、厨芥などの水回りにおけるゴミを所定の集積場に運んで廃棄するためのゴミ袋に用いられる漏水防止テープに関する。
【背景技術】
【０００２】
ゴミを入れた袋は、ゴミに含まれている尖った物体が袋を貫通したり、運搬中に突起物が袋に接触したりすることによって、孔が開いたり裂けたりする。そして、台所や風呂場などの水回りにおけるゴミは、水分を含んでいることから、小さな孔や裂け目であっても袋内の汚水がぽたぽたと漏れ落ちてしまう。多くの家庭では、玄関先まで屋内の廊下を通ってゴミ入り袋を運搬する。従って、袋内から漏れる汚水によって廊下が汚れてしまい、実に厄介なことである。
【０００３】
一方、ゴミ袋内の臭気と湿気を防止するために、袋内に高分子吸収体を入れ、両面テープで開口部を閉じるということが提案されている（特許文献１）。
【先行技術文献】
【特許文献】
【０００４】
【特許文献１】特開２００６−２９８６４０号公報
【考案の概要】
【考案が解決しようとする課題】
【０００５】
しかし、特許文献１に記載の生ゴミ袋内の高分子吸収体は、袋内に入れられているだけであるから、袋内で偏ることがあるし、袋に孔が開いたり袋が裂けたりしていると、高分子吸収体自体が袋から落下し、漏水を防止することはできない。
それ故、この考案の課題は、漏水をほぼ確実に防止することのできるゴミ袋用漏水防止テープを提供することにある。
【課題を解決するための手段】
【０００６】
その課題を解決するために、この考案のゴミ袋用漏水防止テープは、
帯状の支持体と、支持体の一方の主面に塗布された粘着剤層と、粘着剤層を覆う剥離紙と、支持体の他方の主面に固着された吸水性樹脂層と
を備えることを特徴とする。
【０００７】
この考案のゴミ袋用漏水防止テープを使用するときは、剥離紙を剥がして粘着剤層をゴミ袋の底に貼り付けるだけでよい。貼り付けるテープの長さ、幅、本数などはゴミ袋の大きさに応じて適宜決めればよい。吸水性樹脂層は支持体の主面に固着されているので、ゴミ袋内で偏ることはないし、袋から落下することもない。従って、ゴミ袋内の汚水は全て吸水性樹脂層に吸水され、袋から漏れることがない。また、漏水防止テープは、その貼り付け部位において袋を補強する機能をも有するので、ゴミ袋が破け難くなる。
【０００８】
この漏水防止テープは、ゴミ袋の縦横寸法よりもはるかに長くてよく、その場合、円柱もしくは円筒状の芯に巻いて保管し、使用時に必要な寸法だけ引き出して切断すればよい。また、芯に巻かれること無く、予め所定のゴミ袋の寸法に合わせて切断されていてもよい。
【考案の効果】
【０００９】
ゴミ袋内の汚水が漏れないので、屋内を清潔に保つことができる。また、ゴミ袋の集積場所を汚すこともなくなる。従って、内外ともに快適な住空間を提供できる。
【図面の簡単な説明】
【００１０】
【図１】（ａ）は実施形態の漏水防止テープの平面図、（ｂ）は同じく（ａ）のＢＢ断面図、（ｃ）は同じく底面図である。
【図２】（ａ）はゴミ袋の正面図、（ｂ）はゴミ袋に漏水防止テープを貼り付けた状態を示す正面図、（ｃ）は漏水防止テープを貼り付けたゴミ袋を裏返した状態を示す正面図である。
【図３】漏水防止テープを貼り付けて裏返したゴミ袋にゴミを入れた状態を示す一部破断正面図である。
【考案を実施するための形態】
【００１１】
実施形態の漏水防止テープ１は、図１に示すように、クラフト紙、プラスチックなどからなる帯状の支持体２と、支持体２の一方の主面全体に亘ってほぼ均一に塗布された粘着剤層３と、粘着剤層３を覆う剥離紙４と、支持体２の他方の主面全体に亘ってほぼ均一に固着された多数の吸水性樹脂粒子の層５とからなる。漏水防止テープは、使用前においては図略の円筒状の芯に巻かれているが、図１では引き出して平らにした状態の一部が示されている。
【００１２】
漏水防止テープ１は、例えば図２（ａ）に示すような正面視方形のプラスチック製ゴミ袋Ｗの漏水を防止するために使用される。袋Ｗは、下端付近の幅方向の線Ｌに沿って熱シールされることにより下端が閉塞し、上端が開放されている。
【００１３】
漏水防止テープ１を使用するときは、テープ１を袋Ｗの幅と同じ長さだけ切り取り、剥離紙４を剥がした後、図２（ｂ）に示すように袋Ｗの下端にマチが完全に隠れるくらい幅方向に跨がって貼り付ける。背面側にも同様にもう一片のテープ１を貼り付ける。そして、図２（ｃ）に示すように袋Ｗを裏返す。この状態で、ゴミを袋Ｗに入れる。
【００１４】
図３に示すように、袋Ｗ内の底にはテープ１が貼り付けられ、吸水性樹脂粒子５が袋Ｗの幅方向すなわち紙面の前後方向に均一に配置され、袋Ｗ内のゴミからしみ出してくる汚水を全て吸水性樹脂層５が吸収する。従って、袋Ｗから汚水が漏れることはない。また、テープ１によって袋Ｗの底が補強されるので、底が破れにくくなる。
【符号の説明】
【００１５】
１  漏水防止テープ
２  支持体
３  粘着剤層
４  剥離紙
５  吸水性樹脂層
Ｗ  ゴミ袋
【図１】
0003208016.tif 000003
【図２】
0003208016.tif 000004
【図３】
0003208016.tif 000005
(57)【要約】      （修正有）【課題】譜面台を提供する。【解決手段】主ベース１、支持ジョイント２、ボタン３、押圧スプリング、ロッド７、ブッシュ８、ハンドル９及びブロックを備え、主ベースの一端が支持ジョイント内に挿入され、支持ジョイントにボタンが設けられ、ボタンに押圧スプリングが内装され、ボタンに主ベース上の凹溝に合わせる突起が設けられ、ロッドの一端が支持ジョイント内に挿入され、他端がブッシュ内に挿入され、ブッシュにハンドルとブロックが取り付けられる。本考案は、ブッシュに、ハンドルとブロックが取り付けられることで、固定の際にハンドルを押圧すれば、ハンドル頭部の偏心原理によって、ブロックをロッドの管壁に押し付けて、ロッドとブッシュを移動不可能な締付状態にすることができるため、操作性が向上し、しっかりと固定できることである。主ベースと支持ジョイントはボタン上の突起と主ベース上の凹溝との噛合いによりしっかり固定され、操作性も向上する。【選択図】図１
0003208043.tif 000002
【実用新案登録請求の範囲】
【請求項１】
一種の譜面台であって、主ベース、支持ジョイント、ボタン、押圧スプリング、ロッド、ブッシュ、ハンドル及びブロックを備え、前記主ベースの一端が前記支持ジョイント内に挿入され、前記支持ジョイントに前記ボタンが設けられ、前記ボタンに前記押圧スプリングが内装され、前記ボタンに前記主ベース上の凹溝に合わせる突起が設けられ、前記ロッドの一端が前記支持ジョイント内に挿入され、他端が前記ブッシュ内に挿入され、前記ブッシュに前記ハンドルとブロックが取り付けられる、
ことを特徴とする譜面台。
【考案の詳細な説明】
【技術分野】
【０００１】
本考案は、楽器の技術分野に属し、特に譜面台に関する。
【背景技術】
【０００２】
従来の譜面台は、譜面受けとスタンドとの連結が複雑になり、迅速な脱着が困難であり、かつ固定がしっかりしていないという不具合が存在する。その主な原因としては、従来の譜面受けとスタントとを連結した後、譜面受けの負荷能力を確保するために、ボルトなどの接続部材により譜面受けとスタンドを一体にしっかり締め付ける必要があるためである。
【考案の概要】
【考案が解決しようとする課題】
【０００３】
しかしながら、締め付け中にボルトを何回も回転しなければならないので、時間と労力がかかり、締め付け効果も理想的でない。また、主ベースと支持ジョイントとの間の角度調整も便利でない。
【課題を解決するための手段】
【０００４】
上述の技術課題を解決するために、本考案は、一種の譜面台であって、主ベース、支持ジョイント、ボタン、押圧スプリング、ロッド、ブッシュ、ハンドル及びブロックを備え、前記主ベースの一端が前記支持ジョイント内に挿入され、前記支持ジョイントに前記ボタンが設けられ、前記ボタンに前記押圧スプリングが内装され、前記ボタンに前記主ベース上の凹溝に合わせる突起が設けられ、前記ロッドの一端が前記支持ジョイント内に挿入され、他端が前記ブッシュ内に挿入され、前記ブッシュに前記ハンドルとブロックが取り付けられることを特徴とする譜面台を提供する。
【考案の効果】
【０００５】
本考案の一態様によれば得られる有益な効果は、以下のとおりである。
従来のボルトなどの構造の代わりに、ブッシュにハンドルとブロックが取り付けられることで、固定の際にハンドルを押圧すれば、ハンドル頭部の偏心原理によって、ブロックをロッドの管壁に押し付けて、ロッドとブッシュを移動不可能な締付状態にすることができるため、操作性が向上し、しっかりと固定できる。主ベースと支持ジョイントはボタン上の突起と主ベース上の凹溝との噛合いによりしっかり固定され、操作性も向上する。本考案は、高さ、及び主ベースと支持ジョイントの間での位置を便利に調整することができるため、ユーザに便利である。
【図面の簡単な説明】
【０００６】
【図１】本考案の斜視図である。
【図２】本考案の支持ジョイントの断面図である。
【図３】本考案のブッシュの断面図である。
【考案を実施するための形態】
【０００７】
以下、図面を参照しながら本考案について詳細に説明する。ただし、これは本考案の好ましい実施例に過ぎず、当業者は、ここでいう本考案を変更して本考案の有益な効果を得るものが本考案に属することと理解すべきである。このため、以下の記載は、本考案を限定するものでなく、当業者にとって周知されるものであると理解すべきである。
【０００８】
図面において、１は主ベース、２は支持ジョイント、３はボタン、４は押圧スプリング、５は突起、６は凹溝、７はロッド、８はブッシュ、９はハンドル、１０はブロックである。
【０００９】
図１〜３に示すように、主ベース１上に譜面ブラケットが取付けられ、主ベース１の下端が支持ジョイント２内に挿入され、支持ジョイント２にボタン３が設けられ、ボタン３内に押圧スプリング４が内装され、ボタン３に突起５が設けられ、主ベース１の下端に突起５に合わせる凹溝６が複数設けられ、ロッド７の一端が支持ジョイント２内に挿入され、他端がブッシュ８内に挿入される。ブッシュ８にハンドル９とブロック１０が取り付けられ、ブロック１０はロッド７とハンドル９の間に位置される。
【００１０】
使用の際に、まず、ハンドル９を開け、ロッド７の高さを調整した後、ハンドル９を押圧してロッド７を固定する。ボタン３を押下すると同時に、主ベース１の位置を調整して、位置調整が済んだ後、ボタン３を緩めて主ベース１の位置をよく固定する。
【００１１】
以上、本考案のいくつかの実施形態について説明したが、これらの実施形態は、好ましい例示に過ぎず、本考案の技術的範囲を限定するものではない。本考案の要旨を逸脱しない範囲で、省略や置換等種々の変更や改良などは、特許請求の範囲に記載された考案とその均等の範囲に含まれる。
【図１】
0003208043.tif 000003
【図２】
0003208043.tif 000004
【図３】
0003208043.tif 000005
(57)【要約】      （修正有）【課題】肩掛けが可能になり、両手の負担を軽減し、作業効率を上げる回転部保持カバー付き肩掛けドレンクリーナーを提供する。【解決手段】回転部保持カバー付き肩掛けドレンクリーナーＰは、ワイヤー６を引出し、巻き取って収納するドラム部２と、その前方に手持ち部３と、ドラム部２後方にモーターを収納する動力部１と、ドラム部２が体に触れないようにした保持カバー５、肩に掛けるための肩掛けベルト４を備える。回転部保持カバー５は、コの字型カバーで、その端部は動力部１と手持ち部３にそれぞれ固定されている。コの字型カバーでは、厚みのある帯状で、巾は２ｃｍから１０ｃｍが望ましい。肩掛けベルト４は、動力部１と手持ち部３に取り付けている。【選択図】図１
0003208047.tif 000002
【実用新案登録請求の範囲】
【請求項１】
手持ち式ドレンクリーナーを肩掛け式にするため回転部保持カバーを、取り付けた、回転部保持カバー付き肩掛けドレンクリーナー
【請求項２】
前記回転部保持カバーは、コの字型カバーで、その単部は動力部と手持ち部にそれぞれ固定されていることを特徴とする請求項１記載の回転部保持カバー付き肩掛けドレンクリーナー。
【考案の詳細な説明】
【技術分野】
【０００１】本考案は、回転部保持カバーを付けた、回転部保持つき肩掛けドレンクリーナーに関する。
【背景技術】
【０００２】従来の手持ち式ドレンクリーナーは、手で持つタイプのものであった
【考案の概要】
【考案が解決しようとする課題】
【０００３】従来の、手持ち式ドレンクリーナーの場合、重量の負担があり重量を保持するために、両手がふさがり、不便であった。
【課題を解決するための手段】
【０００４】本考案は、両手がふさがらないように肩から、かけるようにしたものである。
そのため、回転部分を、ステー等でカバーすることにより、回転部分を保持して肩掛けを可能にするものである。
【考案の効果】
【０００５】上述のように、肩掛けドレンクリーナーは回転部分をカバーすることにより肩掛けが可能になり、両手の負担を軽減、両手の自由が聞くようになり、作業効率を上げることが可能になる。
【図面の簡単な説明】
【０００６】
【図１】本考案の肩掛けドレンクリーナーの構成図。
【図２】本考案の肩掛けドレンクリーナーの使用写真。（ａ）使用時の写真  （ｂ）（ａ）の拡大写真
【考案を実施するための形態】
【０００７】ドレンクリーナーは、ドラム部に収納しているワイヤーを配管に通し、回転させることで、配管のつまりを通すための装置である。
【０００８】ドレンクリーナーを手で支持することなく、肩掛け式にしたものが回転部保持つき肩掛け式ドレンクリーナーである。
【０００９】図１で、本考案の回転部保持つき肩掛けドレンクリーナーの構成について説明する。
本考案の回転部保持カバー付き肩掛けドレンクリーナーＰは、ワイヤー６を引出し、巻き取って収納するドラム部２と、その前方に手持ち部３と、ドラム部２後方にモーターを収納する動力部１と、ドラム部２が体に触れないようにした保持カバー５、肩に掛けるための肩掛けベルト４を備える。
【００１０】回転部保持カバー５は、コの字型カバーで、その単部は動力部１と手持ち部３にそれぞれ固定されている。コの字型カバーでは、厚みのある帯状で、巾は２ｃｍから１０ｃｍが望ましい。
肩掛けベルト４は、動力部１と手持ち部３に取り付けている
【００１１】図２の回転部保持カバー付き肩掛けドレンクリーナーの使用写真で、使用方法を説明する。
肩掛けドレンクリーナーを、肩掛けベルト４を肩から掛け回転部保持カバー５を、ベルト等で腰に固定して、モーターを回転させながら、ワイヤー６を、ドラム部２から、引き出して、配管に通してつまりを通す。つまりがなくなると、ワイヤーをドラム部に巻き取る。両手で支持することなく安全に使用できる。
【符号の説明】
【００１２】Ｐ  回転部保持カバー付き肩掛けドレンクリーナー
１  動力部
２  ドラム部
３  手持ち部
４  肩掛けベルト
５  回転部保持カバー
６  ワイヤー
【図１】
0003208047.tif 000003
【図２】
0003208047.tif 000004
【手続補正書】
【提出日】平成28年9月28日(2016.9.28)
【手続補正１】
【補正対象書類名】実用新案登録請求の範囲
【補正対象項目名】全文
【補正方法】変更
【補正の内容】
【実用新案登録請求の範囲】
【請求項１】
手持ち式ドレンクリーナーを肩掛け式にするため回転部保持カバーを、取り付けた、回転部保持カバー付き肩掛けドレンクリーナー
【請求項２】
前記回転部保持カバーは、コの字型カバーで、その端部は動力部と手持ち部にそれぞれ固定されていることを特徴とする請求項１記載の回転部保持カバー付き肩掛けドレンクリーナー。
(57)【要約】      （修正有）【課題】外出時に安心してきれいな水を飲むことができる飲料用、携帯用ストローを提供する。【解決手段】ストローの中に飲用水質の中に含まれた不純物や身体に有害な化学成分を浄化できる浄化材１を取り付ける。【選択図】図２
0003208048.tif 000002
【実用新案登録請求の範囲】
【請求項１】
ストローを形成しその中に飲用水質の中に含まれた不純物とか身体に有害的な化学成分を浄化できる浄化材を取付た水質浄化できる飲料用ストローと携帯用ストロー。
【考案の詳細な説明】
【考案の概要】
【考案が解決しようとする課題】
【０００１】  飲用水質浄化の商品は家庭内に使う商品が多いその構造も複雑し値段も高い。特に  外出する時に安心してきれいな水を飲ませる構造簡単，携帯便利．値段安い飲用水質浄化ストロー商品がなかった問題点があった。
【課題を解決するための手段】
【０００２】  ストローの中に浄水材を取付ける。【０００３】  携帯用ストローに浄化材を取替えるできる構造を設る。そして水を溢さないように吸口に蓋を設る。ストローはボトルの中に入れる時水を溢さないように入口止め部を設る。【０００４】  携帯用ストローを收納するための入ケースを設。【０００５】  浄水材は  例え飮用水の中に不純物とか身体に有害的な化学成分が含まれば浄水材の構造とその機能原理により水質がきれいになれる、安心的に飲まれる。
【考案の效果】
図面のようにストロー１の中に取付た浄水材２の機能原理により水質がきれい安心的で飮むことができる。ストロー１と携帯用ストロー６は構造簡単、値段も安い。收納することできるから携帯も便利になる。
【図面の簡単な説明】
【図１】  水質浄化ストローの平面図である。
【図２】  携帯用水質浄化ストローの平面図である。
【図３】  携帯用水質浄化ストローの入ケースの平面図である。
【符号の説明】１        浄化材
２        ストロー
３        吸口蓋
４        入口止め部
５        入ケース
６        携帯用水質浄化ストロー
【図１】
0003208048.tif 000003
【図２】
0003208048.tif 000004
【図３】
0003208048.tif 000005
(57)【要約】      （修正有）【課題】視覚障害者が介助人、盲導犬無しでも独自に移動できる盲導杖を提供する。【解決手段】白杖１の先端にマグネット２を取り付け、レール３の上を自在に滑らして自由歩行できることにより問題を解決した。【選択図】図１
0003208071.tif 000002
【実用新案登録請求の範囲】
【請求項１】
白杖本体に着脱可能なマグネットを取り付けた盲導杖
【考案の詳細な説明】
【技術分野】
【０００１】  本考案は、視覚障害者が使用している白杖に関するものである。
【背景技術】
【０００２】  視覚障害者は移動手段として主に白杖、盲導犬、或いは手探り状態で移動している。
【考案の概要】
【考案が解決しようとする課題】
【０００３】  本考案は、前述の移動を、さらに安全、且つスムーズに移動出来るよう考案したもので、現在視覚障害者が目的地に移動する場合、介助人或いは盲導犬等で移動している。しかしながら、数少ない介助人の負担は重く、盲導犬の数も不足している。本考案はこれらの不便解消、負担軽減のため考案したものである。
【課題を解決するための手段】
【０００４】  従来の白杖の先端に磁石を取り付け、予め敷設したレールの上を滑らして歩行するものである。レールは金属製とし、磁石につく任意の物でよい。さらに白杖の先端に取り付けた磁石は着脱可能とし、通常の白杖としても使用可能とする。
【考案の効果】
【０００５】  本考案の盲導杖を滑らしながら歩行することにより、使用者が容易に目的地まで移動可能であり、病院、役所等々の公共施設、また個人の生活の場に於いても簡単に移動できる。さらに緊急避難時等に於いても、少ない介助人で安全迅速に移動でき、大切な生命を守ることのできる画期的な考案である。
【図面の簡単な説明】
【０００６】
【図１】本考案の盲導杖の側面図
【図２】本考案の盲導杖の正面図
【考案を実施するための形態】
【０００７】  バリアフリー化に近い状態にするため、可能な限り薄くした形状のレールを目的地まで敷き、このレールの上を盲導杖を滑らして進むもので、杖を振ることもなく、通行人の安全にも考慮したものである。
【実施例】
【０００８】  視覚障害者の入院時を想定し、添付図面に従って実施例を説明する。３のレールをベッドからトイレまで敷く。この上を１の白杖の先に取り付けた２のマグネットを滑らし歩行する。磁石は正確にレールを捉え、滑らかに進むことができる。
【符号の説明】
【０００９】１  白杖
２  マグネット
３  レール
【図１】
0003208071.tif 000003
【図２】
0003208071.tif 000004
(57)【要約】      （修正有）【課題】調理中、使用したまな板の洗い流しと水切りの処理に手間が掛かるため、次の水切りを効果的に行う洗い桶を提供する。【解決手段】まな板４を立てる目的で上枠２に左右対称の掛かりミゾ３を設けたことを特徴とする、掛かりミゾ付き洗い桶１とする。また、複数の掛かりミゾを設けたパッドを上枠に備えても良い。【選択図】図２
0003208060.tif 000002
【実用新案登録請求の範囲】
【請求項１】
まな板を立てる目的で上枠に左右対称の複数の掛かりミゾを設けたことを特徴とする、掛かりミゾ付き洗い桶。
【請求項２】
前記の複数の掛かりミゾを設けたパットを備えたことを特徴とする、請求項１に記載の掛かりミゾ付き洗い桶。
【考案の詳細な説明】
【技術分野】
【０００１】本考案はまな板を立てる目的の洗い桶に関するものである。
【背景技術】
【０００２】台所での調理作業中、使用したまな板の洗いもどしに手間が掛かり調理作業が遅れる。
【先行技術文献】
【０００３】
【特許文献１】特開２００７−１９５９２２
【考案の概要】
【考案が解決しようとする課題】
【０００４】使用したまな板を洗い、流しと水切り処理が素早く済めば次の調理作業に直ぐに掛かることができ、遅れが解消する。
特許文献１は洗い桶にミゾを付けた例であるがまな板の水切り処理を目的としたものではない。
【課題を解決するための手段】
【０００５】前記の課題を解決するため、本考案はまな板を立てる目的で上枠に左右対称の複数の掛かりミゾを設けたことを特徴とする、掛かりミゾ付き洗い桶とする。
又、前記の複数の掛かりミゾを設けたパットを備えたことを特徴とする、掛かりミゾ付き洗い桶とするのもよい。
【考案の効果】
【０００６】まな板がすべらずに斜めに立つことに依り水切り処理が、立て板に水、のごとく早く済み調理作業の効率が良くなる。さらに常時まな板を洗うことで清潔を保ち、ニオイうつりの減少にも効果がある。
複数の掛かりミゾを設けたパットでは水切りの目的は上述に同じであるが洗い桶上での作業中のまな板の安定性が向上する。
【図面の簡単な説明】
【０００７】
【図１】本考案の洗い桶の設明図
【図２】本考案の使用状態を示す設明図
【図３】複数の掛かりミゾを設けたパットの１方の状態を示す設明図
【考案を実施するための形態】
【０００８】本考案を実施するための形態を図１、図２、に従て設明する。本考案は洗い桶１の上枠２の左右にまな板の掛かりミゾ３、を設け、そのミゾを下部２支点としカラン先端部６０を上部の１支点と利用する。この３点掛けでぬれたまな板４を横にほゞ垂直に立てる。
掛かりミゾ３の形は角面でも曲面でもかまわない、まな板の角が掛かればよい。図１は上枠２の中央部に３ケ処設けた例、ミゾの巾、深さはまな板の厚さを考慮する。次にミゾ付きパットを備えた例を図３に示す、ミゾ付きパット１０は複数の凸部分１１、凹部分１２、を交互に設けてあり、洗い桶１の上枠２に対称に設けるミゾ付きパット１０は上枠２に両面テープ等の適宣な手段で固定する。なお、破線はまな板４を示す。
又、湿合栓５０、カラン先端部６０、は図２の示す様にまな板をほゞ垂直に立てるため損傷はない。
【符号の設明】
【０００９】１    洗い桶
２    上枠
３    掛かりミゾ
４    まな板
５０  湿合栓
６０  カラン先端部
７０  流し台
１０  ミゾ付きパット
１１  ミゾ付きパットの凸部分
１２  ミゾ付きパットの凹部分
２０  両面テープ
【図１】
0003208060.tif 000003
【図２】
0003208060.tif 000004
【図３】
0003208060.tif 000005
(57)【要約】      （修正有）【課題】寝たきり老人や病気やケガで自力での用便が困難な人に対して、オムツの交換をする介護人の負担を軽減する介護用排便排尿自動洗浄装置を提供する。【解決手段】介護用排便排尿自動洗浄装置１はゴムや合成樹脂で成形され防水素材のシール３で密封された容器であり、人の下半身部分に装着し、排便排尿を感知すると排便排尿口及び左右の臀部下に配置したノズル４からシャワーが噴射され排便排尿を洗浄し、汚水は排水口５から装置外へ排出し、洗浄が終了するとノズルから温風が吹き込み装置内を乾燥させ温風は内部を乾燥し排気口８から外部へ排気される。また空気圧で空気玉を作り腰を動かして洗浄水や温風を隈なく行き届くようにするための空気圧ローリング装置９を備える。【選択図】図１
0003208053.tif 000002
【実用新案登録請求の範囲】
【請求項１】
介護用排便排尿自動洗浄装置は防水素材の密封された容器で、人の下半身部分に装着しゴムやビニール樹脂で成形されている。排便排尿を感知すると要所要所に配置したノズルからシャワーが噴射され主に排便排尿部分を洗浄して汚水は装置外へ排出される。洗浄が終了すると温風が吹き込み装置内を乾燥させる介護用品である。
【請求項２】
介護用排便排尿自動洗浄装置式空気圧ローリング装置はシャワーリングや温風による乾燥が十分に発揮するべく、装置内の数箇所に空気玉を配置し、膨らみあるいは収縮を繰り返して腰を持ち上げあるいは揺すり、シャワーリングや温風による乾燥が十分に発揮するべく作動する。又側面部に体の傾き修正機能として体勢を上向きに固定するべく空気玉を設置する。
【考案の詳細な説明】
【技術分野】
【０００１】  本考案の介護用排便排尿自動洗浄装置はオムツに代わって下半身に装着する防水密閉型の装置で、自動で排便排尿を感知すると装置の中を洗浄し温風によって乾燥させる介護用品である。
【背景技術】
【０００２】  施設や病院又は自宅において、寝たきり老人や病気ケガで自力での用便が困難な人に対してオムツの交換は介護人の負担が大きい。介護人にいたっては労働意欲の阻害要因の一つでもある。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  寝たきり老人や病気やケガで用便が困難な人に対してのオムツの交換は昼夜を問わず２４時間体制で行うとしたら激務であり、本人も介護人や家族にいたっても気の重い問題である。排便や排尿を抑えるため食事や水分補給を控えることもあり、又オムツの交換の時間が決まっている場合、汚れたオムツで長時間経過することがある。排便や排尿で周囲に皮膚炎ができ無意識に引っ掻いてしまう為、手を拘束されることもある。本人も不愉快であるし、家族にいたっても心痛である。昼夜の区別なく２４時間の排便や排尿の看護人のシフトは金銭的にも労働力的にも困難と言える。
【課題を解決するための手段】
【０００６】  本考案の介護用排便排尿自動洗浄装置は排便や排尿を自動で感知すると装置内の洗浄が行われる。洗浄が終わると温風が吹き込まれ装置内を乾燥させる。自動を選択するには洗浄水の温度設定・排水用の配管の点検・温風の温度設定・風量・排気管の点検・装置の密封具合などの確認によって自動が選択できる。洗浄や乾燥が十分に発揮するべく、装置内の数箇所に膨らみあるいは収縮を繰り返して腰を持ち上げる機能がある。又、温度や圧力に対する警報は二重に設置し、維持管理に万全を尽す。
【考案の効果】
【０００７】  上述のように本考案の介護用排便排尿自動洗浄装置として機能を発揮すれば、本人も不快感を取り除き家族も安堵できる。又介護従事者の労働意欲の阻害要因が一つ取り除かれれば、病院や施設で手厚い介護が向上する。
【図面の簡単な説明】
【０００８】
【図１】本考案の介護用排便排尿自動洗浄装置の断面図である。
【図２】本考案の介護用排便排尿自動洗浄装置の平面図である。
【考案を実施するための形態】
【０００９】  本考案の介護用排便排尿自動洗浄装置は自動運転と手動運転があり、自動運転を選択してスタートボタンを押すと、タイマー設定に従って始動する。休止タイマーを０時間に設定すれば２４時間以内に排便排尿を感知すれば何度でも洗浄工程に入る。休止タイマーを６時間に設定すれば一工程３０分とすれば６時間３０分後から感知すれば再び洗浄工程に入る。洗浄工程の時間や休止タイマーの設定は任意で決められる。手動運転はすべて個別のスイッチボタンを押さなければ動かない。洗浄水や温風の警報又は停電は停止と共に緊急遮断弁が作動する。電気回路は、上述の動作からシーケンスを起こす。
【実施例】
【００１０】  以下、添付図面に従って実施例を説明する。１は介護用排便排尿自動洗浄装置本体、２は空気圧で軽く締め付けられた水漏れを防止するシールと、３は生ゴム素材の水漏れ防止シールとで液漏れを防止している。４は洗浄水及び温風ノズルで、シャワーリングで洗浄した汚水は排水口５から外部へ排水される。温風は乾燥しながら排気口８から外部へ、９は空気圧で空気玉をつくり腰を動かしあるいは揺すり、洗浄水や温風を隈なく行き届かすものである。これらをシーケンサーで制御する。
【産業上の利用可能性】
【００１１】  介護施設などで介護士不足が生じれば無人のロボットが必要になってくる。装置の価格も国や自治体から認可を得れば助成金や保険の適用につながり家族の負担も軽減する。
【符号の説明】
【００１２】  １  介護用排便排尿自動洗浄装置
２  空気圧によるシール
３  生ゴム素材によるシール
４  洗浄水及び温風用ノズル
５  汚水排水口
６  排水管
７  排水外部
８  排気口
９  空気玉によるローリング装置
１０  防水型チャック
【図１】
0003208053.tif 000003
【図２】
0003208053.tif 000004
【手続補正書】
【提出日】平成28年9月28日(2016.9.28)
【手続補正１】
【補正対象書類名】実用新案登録請求の範囲
【補正対象項目名】全文
【補正方法】変更
【補正の内容】
【実用新案登録請求の範囲】
【請求項１】
介護用排便排尿自動洗浄装置はゴムや合成樹脂で成形され防水素材の密封された容器で、人の下半身部分に装着し、排便排尿を感知すると排便排尿口及び左右の臀部下に配置したノズルからシャワーが噴射され排便排尿を洗浄して汚水は装置外へ排出し、洗浄が終了するとノズルから温風が吹き込み装置内を乾燥させ、看護人無人による排便排尿を処置することを特徴とする介護用排便排尿自動洗浄装置。
【請求項２】
請求項１に記載の介護用排便排尿自動洗浄装置における空気圧ローリング装置はシャワーリングや温風による乾燥が十分に発揮するべく、排便排尿口及び左右の臀部下に空気玉を配置し、膨らみあるいは収縮を繰り返して腰を持ち上げあるいは揺すり、装置内の洗浄や温風による乾燥を効率よく行うことを特徴とする介護用排便排尿自動洗浄装置用空気圧ローリング装置。
(57)【要約】      （修正有）【課題】卵を素早く簡単に且つなめらかに溶くことが出来、さらに卵の調理作業の単純化、調理時間の短縮、経済性の向上を目的とする卵調理器具を提供する。【解決手段】耐熱性の容器本体と該容器本体に嵌合しうる蓋帯とから形成され、蓋帯の内側上面に突起物が形成されている。【選択図】図１
0003208058.tif 000002
【実用新案登録請求の範囲】
【請求項１】
耐熱性の容器本体と該容器本体に嵌合可能な蓋帯とからなる密閉容器において、前記蓋帯の内側上面に７ミリメートル前後から１０ミリメートル前後の適宜間隔で３０本前後以上の突起物が設けられ、この前記突起物の長さは前記容器本体と前記蓋帯の嵌合状態で、前記突起物の先端から前記容器本体の内側底面までの隙間が３ミリメートル以下となる長さに形成されていることを特徴とする卵調理器具。
【考案の詳細な説明】
【技術分野】
【０００１】  本考案は、卵を割りいれた容器を、左右又は前後に振るだけで、素早く簡単に且つなめらかに卵を溶くことが出来る、耐熱性の卵調理器具に関するものである。
【技術背景】
【０００２】  例えば、卵焼き、オムレツなど卵を溶いて行う調理の場合、一度ボウルなどの調理器具に卵を割り入れ、箸やフォーク、かき混ぜ棒などで卵を溶かなければならず、さらに茶碗蒸しやプリンなどは、溶いた卵をだし汁や牛乳などと混ぜ合わせた後、網などで濾さなければ白身がよく切れてないことが多かった。
【先行技術文献】
【特許文献】
【０００３】
【特許文献１】  特開２００５−１５２６７６
【非特許文献】
【０００４】
【非特許文献１】  サンクラフト  まぜ卵イエロー  メーカー型番１０８４５
【考案の概要】
【考案が解決しようとする課題】
【０００５】  前述のように卵を溶いて調理をする際、ボウルなどの調理器具の容器に卵を割り入れ、箸やフォーク、かき混ぜ棒などで卵を溶き、それからそれぞれの料理に合わせて、例えば卵焼き、オムレツであれば、フライパンを使ったり、茶碗蒸しやプリンであれば、溶いた卵をだし汁や牛乳などで混ぜ合わせた後、網や裏漉し器などで濾して、その後また別の容器に注ぎいれて蒸し器にかけたり、オーブンに入れたりしなければならないという手間のかかるものである。【０００６】  本考案は、このような課題に鑑みて、卵を溶くという作業を、卵を割り入れた容器を振るだけで卵を溶くことが出来るという単純なものにし、このまま電子レンジやオーブンにかければ、様々な卵料理が応用できる。このように本考案はひとつの簡単な器具により、作業の単純化、器具の小型化、作業時間の短縮、経済性の向上を目的として考案されたものである。
【考案を解決するための手段】
【０００７】  本考案は耐熱性の容器本体と、該容器本体と嵌合しうる蓋帯とから形成されており、前記蓋帯の内側には、７ミリメートル前後から１０ミリメートル前後の適宜間隔で突設された突起物を設け、前記容器本体と前記蓋帯の嵌合時において、前記容器本体に割り入れた卵を左右または前後に数十秒振るという単純な作業で、素早く簡単に且つなめらかに卵を溶くことを可能とし、前述の課題を解決する手段とするものである。
【０００８】  また、前記容器を左右または前後に振るという作業に関しては、突起物に対して垂直方向である。これに対し上下に振れば突起物に対して平行方向になる為、卵は溶きほぐされにくくなる。従って、前記の左右または前後に振るという作業により、素早く簡単に且つなめらかに泡立ちも少なく、卵を溶くことを可能とするものである。
【０００９】  また、前記容器本体は耐熱性である為、前述の前記容器を振るだけの作業によって溶きほぐされた卵を容器ごとそのまま電子レンジやオーブンにかけることで、より前述の課題を解決する手段とするものである。
【考案の効果】
【００１０】  前述のように本考案は、前記蓋帯の内側に設けられた突起物により前記容器を振るだけという単純な作業で、卵が素早く容易に溶きほぐされるという特徴を持つものである。また、卵の卵帯がたまに若干残るものの、ほとんど裏漉し器などで濾さなくても良い程、白身がなめらかにきれる為、この作業で溶かれた卵を容器ごとそのまま電子レンジやオーブンにかけ、また、荒熱がとれた後に冷蔵庫で冷やしたり、食卓にそのまま出すことも出来、より作業の単純化、作業時間の短縮、経済性の向上といった効果が期待できる。
【００１１】  また、前記蓋帯の内側に設けられた突起物に関しては、食材によっては混ぜ合わせる効果も期待でき、例えばドレッシングやカスタードクリーム、スクランブルエッグ、ホワイトソースなど本考案は工夫次第で様々な応用を楽しめることが出来る。また、使用する器具は、本考案のこの器具のみであるから、洗う手間も省け、より課題解決の効果が期待できる。
【００１２】  また、当然のことながら、前記容器は電子レンジやオーブンが無くても使用出来る為、アウトドアでも楽しむことが出来る。
【図面の簡単な説明】
【００１３】
【図１】本実施例の分解斜視図
【図２】本実施例の容器本体と蓋帯の嵌合状態を示す斜視図
【図３】本実施例の一部を切り欠いた側面図
【図４】蓋帯側面の断面図
【図５】蓋帯内側の上面図
【図６】把手を取り付けた場合の側面図
【図７】本実施例の容器本体と適合しうる好適蓋帯の斜視図
【考案を実施するための形態】
【００１４】  前記容器本体と該容器本体に嵌合しうる蓋帯の形状は、把持して振る作業や把手を持って振る作業がし易い適宜形状で形成されている。また、前記容器本体の容量は、卵の容量に対して２倍から３倍程度で、５０ｇ前後の卵であれば３個までが好適である。
【００１５】  また、前記容器本体は耐熱性であり、例えば強化磁器や耐熱ガラス、シリコーンなど電子レンジのみならずオーブンにも使用できる素材であれば、卵料理の応用の幅もひろがる。
【００１６】  また、図１で示す突起物３は、直径１，５ミリメートル前後で、要は爪楊枝程度の大きさで形成され、また、突起物３の長さは図３で示す状態において、突起物先端３ａから容器本体底面１ａまでの隙間の長さが３ミリメートル以下が好適であり、突起物の数に関しては３０前後以上で形成される。
【００１７】  また、図１で示す蓋帯２及び突起物３の素材は、必ずしも耐熱性とするものではないが、耐熱性であれば例えばスクランブルエッグやホワイトソースなど電子レンジ使用の途中で何度かかき混ぜが必要な場合には、蓋帯を着けたまま電子レンジ使用の途中で振る作業ができるから、より作業の手間が省ける。
【００１８】  また、図７で示す蓋帯５は、電子レンジ対応であり、容器本体１を電子レンジにかける際に蓋が必要な茶碗蒸しやプリンなど作る際に使用するものであり、容器本体１に適合する好適な形状で形成されている。
【符号の説明】
【００１９】  １  容器本体
２  蓋帯
３  突起物
４  把手
５  電子レンジ対応蓋帯
【図１】
0003208058.tif 000003
【図２】
0003208058.tif 000004
【図３】
0003208058.tif 000005
【図４】
0003208058.tif 000006
【図５】
0003208058.tif 000007
【図６】
0003208058.tif 000008
【図７】
0003208058.tif 000009
(57)【要約】      （修正有）【課題】美観を追及した多様な形状ののぼり旗が従来ののぼりポールに簡単に取付けられ、且つ使用後は旗部分を支持棒と一緒に折りたたんで収納でき、屋外使用時は風に対する強度も有するのぼりポール支持棒を提供する。【解決手段】設置面に固定されたのぼりポール７の先端部に取付けられる、支持棒本体１と横棒回転接続部４を備え、横棒回転接続部には横棒２が固定され、横棒は上下所定角度に変化可能であり、横棒がのぼりポールに並行となるように折りたたむことができる。また、金属を使用することで強度を強くしている。【選択図】図１
0003208056.tif 000002
【実用新案登録請求の範囲】
【請求項１】
設置面に固定された前記のぼりポール先端部に取付けられる、支持棒本体と横棒回転接続部を備え、前記横棒は前記横棒回転接続部に固定され、前記横棒は上下所定角度に変化させることを特徴としたのぼりポール支持棒。
【請求項２】
前記のぼりポール支持棒の横棒回転接続部はのぼりポールに並行となるように折りたたむことができることを特徴とした請求項１記載ののぼりポール支持棒。
【請求項３】
前記横棒回転接続部には、スプリングが設置されており、横棒回転接続部をスプリング圧で保持することを特徴とした請求項１〜２記載ののぼりポール支持棒。
【考案の詳細な説明】
【技術分野】
【０００１】本考案は、のぼり旗用の支持棒に関するものである。
【背景技術】
【０００２】従来ののぼり旗の横棒は、のぼりポールに対し直角で、自由な角度に固定することができない。また折りたたむこともできない構造となっている。横棒は一般的にカーボン製のため風にあおられて折れてしまう事が発生する為、これらを解決することが必要であった。
【先行技術文献】
【特許文献】
【０００３】
【特許文献１】実用新案登録第３２００８５１号
【考案の概要】
【考案が解決しようとする課題】
【０００４】従来ののぼり旗の横棒は、のぼりポールに対し直角で、自由な角度に固定することができず、美観を追及した多様な形状ののぼり旗を簡単に取付けられなかった、且つ使用後は旗部分を横棒と一緒に折りたたんで収納することができなかった。従来の横棒は一般的にカーボン製の為、屋外使用時は風に対する強度も比較的弱く風にあおられて折れてしまうこともあった。これらの問題点を解決しようとするものである。
【課題を解決するための手段】
【０００５】本考案は、支持棒本体と横棒を横棒回転接続部に固定し所定の角度に設定できる構造とし、且つ横棒が旗部分と一緒にのぼりポールに並行となるように折りたたむことができるようにした構造を実現し、さらに金属を使用することで強度を強くし問題を解決している。
【考案の効果】
【０００６】上述のように、本考案ののぼりポール支持棒は、横棒が所定の角度になる構造で、しかも、従来ののぼりポールに取付けられるので、従来ののぼり旗もまた美観を追及した多様な形状ののぼり旗も簡単に取付けることができ、美観を損なうことがなく、且つ経済的にも有効である。
【図面の簡単な説明】
【０００７】
【図１】本考案ののぼりポール支持棒を取付けた図である。
【図２】横棒を回転させてセットした時の図である。
【図３】横棒をのぼりポール支持棒本体と横棒回転接続部に設置し固定し構造を示した図である。
【図４】のぼりポール支持棒の俯瞰図である。
【考案を実施するための形態】
【０００８】横棒回転接続部は回転軸ピンを中心に回転させ、所定の角度に設定できる凹凸部を支持棒本体と横棒回転接続部に施し、支持棒本体と横棒回転接続部をスプリングで挟み固定する構造となっている。
【実施例】
【０００９】支持棒本体（１）と横棒回転接続部（４）が一体のものを、従来ののぼりポール（７）上部のキャップ（９）に差込む。横棒（２）と従来ののぼりポール（７）に旗（８）を取り付ける。横棒回転接続部（４）を所定の角度で固定する。のぼりポール支持棒と角度を付け取付けたのぼり旗（８）。
【産業上の利用可能性】
【００１０】本品は従来ののぼりポールに簡単に取付けができ、比較的安価なため利用度が高い。従来のカーボン製の横棒に比べ強度が強い。
【符号の説明】
【００１１】１  支持棒本体
２  横棒（回転式）
３  横棒の回転経路
４  横棒回転接続部
５  回転軸ピン
６  スプリング
７  のぼりポール
８  のぼり旗
９  キャップ
【図１】
0003208056.tif 000003
【図２】
0003208056.tif 000004
【図３】
0003208056.tif 000005
【図４】
0003208056.tif 000006
【手続補正書】
【提出日】平成28年9月30日(2016.9.30)
【手続補正１】
【補正対象書類名】実用新案登録請求の範囲
【補正対象項目名】全文
【補正方法】変更
【補正の内容】
【実用新案登録請求の範囲】
【請求項１】
設置面に固定されたのぼりポール先端部に取付けられる、支持棒本体と横棒回転接続部を備え、前記横棒回転接続部には横棒が固定され、前記横棒は上下所定角度に変化可能であることを特徴としたのぼりポール支持棒。
【請求項２】
前記のぼりポール支持棒の横棒回転接続部は、前記横棒がのぼりポールに並行となるように折りたたむことができることを特徴とした請求項１記載ののぼりポール支持棒。
【請求項３】
前記横棒回転接続部には、スプリングが設置されており、横棒回転接続部をスプリング圧で保持することを特徴とした請求項１または２記載ののぼりポール支持棒。